(57)【要約】      （修正有）【課題】、ヒートポンプサイクルのエネルギ消費量の増大を招くことなく、暖房対象空間の充分な暖房を実現しつつ、着霜による蒸発器の熱交換能力の低下を抑制可能な暖房システムを提供する。【解決手段】ヒートポンプサイクル１０によって加熱された給湯水を貯留する貯湯タンク２０と、貯湯タンク２０に貯湯された給湯水を熱源として換気熱交換器３４から流出した給気を加熱する高温側ヒータコア３５と、換気熱交換器３４から流出した排気をヒートポンプサイクル１０の蒸発器１４へ導くダクト３６と、この蒸発器１４の除霜を行う必要があるか否かを判定する除霜要否判定手段とを備え、蒸発器１４の除霜を行う必要があると判定され、かつ、貯湯タンク２０に貯湯された給湯水の熱量が基準熱量以上となっている際には、ヒートポンプサイクル１０の圧縮機１１の作動を停止させる。【選択図】図１
2014152985.tif 000002
【特許請求の範囲】
【請求項１】
冷媒を圧縮して吐出する圧縮機（１１）、前記圧縮機（１１）から吐出された冷媒と熱媒体とを熱交換させて熱媒体を加熱する熱媒体−冷媒熱交換器（１２）、前記熱媒体−冷媒熱交換器（１２）から流出した冷媒を減圧させる減圧手段（１３）、および前記減圧手段（１３）にて減圧された冷媒を蒸発させる蒸発器（１４）を有するヒートポンプサイクル（１０）と、
前記熱媒体−冷媒熱交換器（１２）にて加熱された熱媒体を貯留する熱媒体タンク（２０）と、
暖房対象空間から室外へ排出される排気と室外から暖房対象空間へ取り入れられる給気とを熱交換させる換気熱交換器（３４）と、
前記熱媒体タンク（２０）に貯留された熱媒体を熱源として、前記換気熱交換器（３４）から流出した前記給気を加熱する高温側ヒータコア（３５）と、
前記換気熱交換器（３４）から流出した前記排気を前記蒸発器（１４）側へ導く通風路を形成する通風路形成部材（３６）と、
前記熱媒体タンク（２０）に貯留された熱媒体の熱量（Ｑｔ）を検出する熱量検出手段（４２）と、
前記圧縮機（１１）の作動を制御する吐出能力制御手段と、
前記蒸発器（１４）の除霜を行う必要があるか否かを判定する除霜要否判定手段（Ｓ３）とを備え、
前記吐出能力制御手段は、前記除霜要否判定手段（Ｓ３）によって前記蒸発器（１４）の除霜を行う必要があると判定され、かつ、前記熱量検出手段（４２）によって検出された熱量（Ｑｔ）が予め定めた基準熱量（ＫＱｔ）以上となっている際には、前記圧縮機（１１）の冷媒吐出能力を低下させることを特徴とする暖房システム。
【請求項２】
さらに、前記減圧手段（１３）の作動を制御する絞り開度制御手段を備え、
前記絞り開度制御手段は、前記除霜要否判定手段（Ｓ３）によって前記蒸発器（１４）の除霜を行う必要があると判定され、かつ、前記熱量検出手段（４２）によって検出された熱量（Ｑｔ）が前記基準熱量（ＫＱｔ）より低くなっている際には、前記減圧手段（１３）の絞り開度を増加させることを特徴とする請求項１に記載の暖房システム。
【請求項３】
さらに、前記換気熱交換器（３４）から流出した前記排気の温度を検出する排気温度検出手段（４３）を備え、
前記通風路形成部材（３６）には、前記換気熱交換器（３４）から流出した前記排気を前記蒸発器（１４）側へ導くことなく室外へ放出する放出手段（４０）が設けられており、
前記放出手段（４０）は、前記排気の温度（Ｔｅｘｏ）が予め定めた基準排気温度（ＫＴｅｘｏ）よりも低くなっている際には、前記換気熱交換器（３４）から流出した前記排気を室外へ放出することを特徴とする請求項１または２に記載の暖房システム。
【請求項４】
さらに、前記高温側ヒータコア（３５）から流出した熱媒体を熱源として、前記換気熱交換器（３４）へ流入する給気を加熱する低温側ヒータコア（４４）と、
前記低温側ヒータコア（４４）の加熱能力を調整する加熱能力調整手段（４６）と、
前記加熱能力調整手段（４６）の作動を制御する加熱能力制御手段と、
前記換気熱交換器（３４）から流出した前記排気の温度を検出する排気温度検出手段（４３）とを備え、
前記加熱能力制御手段は、前記除霜要否判定手段（Ｓ３）によって前記蒸発器（１４）の除霜を行う必要があると判定され、かつ、前記排気の温度（Ｔｅｘｏ）が予め定めた基準排気温度（ＫＴｅｘｏ）よりも低くなっている際に、前記低温側ヒータコア（４４）の加熱能力を増加させることを特徴とする請求項１または２に記載の暖房システム。
【発明の詳細な説明】
【技術分野】
【０００１】
本発明は、ヒートポンプサイクルを備える暖房システムに関する。
【背景技術】
【０００２】
従来、特許文献１に、換気熱交換器およびヒートポンプサイクルを備える空調システムが開示されている。
【０００３】
この空調システムにおいて、換気熱交換器は、空調対象空間である室内の換気を行う際に、室内から室外へ排出される排気（内気）と室外から室内へ取り入れられる給気（外気）とを熱交換させて、換気による室内の温度変化を抑制する機能を果たしている。また、ヒートポンプサイクルは、室内の暖房を行う暖房運転時に、換気熱交換器から流出した給気を加熱する機能を果たしている。
【０００４】
さらに、特許文献１の空調システムには、室内から室外へ排出される排気を、換気熱交換器を迂回させてヒートポンプサイクルの蒸発器側へ導くバイパス空気通路が設けられている。そして、暖房運転時に、外気温よりも高温となっている排気（内気）の一部を、バイパス空気通路を介して蒸発器側へ導くことで、蒸発器の着霜を抑制して着霜による蒸発器の熱交換性能の低下を抑制しようとしている。
【先行技術文献】
【特許文献】
【０００５】
【特許文献１】特開２００６−３０８２４１号公報
【発明の概要】
【発明が解決しようとする課題】
【０００６】
ところが、特許文献１の空調システムのように、暖房運転時に、排気の一部をバイパス空気通路を介して蒸発器側へ導いてしまうと、換気熱交換器における給気の加熱能力を低下させてしまう。従って、暖房運転時に、排気の一部をバイパス空気通路を介して蒸発器側へ導きながら室内の充分な暖房を実現するためには、排気の全量を換気熱交換器へ導く場合よりも、ヒートポンプサイクルの加熱能力を増加させなければならない。
【０００７】
このようなヒートポンプサイクルの加熱能力の増加は、ヒートポンプサイクルのエネルギ消費量を増大させてしまう原因となる。さらに、ヒートポンプサイクルの加熱能力を増加させると、蒸発器における冷媒蒸発温度を低下させてしまうので、一部の排気の有する熱だけでは蒸発器の着霜を充分に抑制できなくなってしまうおそれもある。
【０００８】
上記点に鑑み、本発明は、ヒートポンプサイクルを備える暖房システムにおいて、ヒートポンプサイクルのエネルギ消費量の増大を招くことなく、暖房対象空間の充分な暖房を実現しつつ、着霜による蒸発器の熱交換能力の低下を抑制することを目的とする。
【課題を解決するための手段】
【０００９】
本発明は、上記目的を達成するために案出されたもので、請求項１に記載の発明では、冷媒を圧縮して吐出する圧縮機（１１）、圧縮機（１１）から吐出された冷媒と熱媒体とを熱交換させて熱媒体を加熱する熱媒体−冷媒熱交換器（１２）、熱媒体−冷媒熱交換器（１２）から流出した冷媒を減圧させる減圧手段（１３）、および減圧手段（１３）にて減圧された冷媒を蒸発させる蒸発器（１４）を有するヒートポンプサイクル（１０）と、熱媒体−冷媒熱交換器（１２）にて加熱された熱媒体を貯留する熱媒体タンク（２０）と、暖房対象空間から室外へ排出される排気と室外から暖房対象空間へ取り入れられる給気とを熱交換させる換気熱交換器（３４）と、熱媒体タンク（２０）に貯留された熱媒体を熱源として、換気熱交換器（３４）から流出した給気を加熱する高温側ヒータコア（３５）と、換気熱交換器（３４）から流出した排気を蒸発器（１４）側へ導く通風路を形成する通風路形成部材（３６）と、熱媒体タンク（２０）に貯留された熱媒体の熱量（Ｑｔ）を検出する熱量検出手段（４２）と、圧縮機（１１）の作動を制御する吐出能力制御手段と、蒸発器（１４）の除霜を行う必要があるか否かを判定する除霜要否判定手段（Ｓ３）とを備え、
吐出能力制御手段は、除霜要否判定手段（Ｓ３）によって蒸発器（１４）の除霜を行う必要があると判定され、かつ、熱量検出手段（４２）によって検出された熱量（Ｑｔ）が予め定めた基準熱量（ＫＱｔ）以上となっている際には、圧縮機（１１）の冷媒吐出能力を低下させる暖房システムを特徴としている。
【００１０】
これによれば、蒸発器（１４）の除霜を行う必要があると判定され、かつ、熱量検出手段（４２）によって検出された熱量（Ｑｔ）が予め定めた基準熱量（ＫＱｔ）以上である場合に、圧縮機（１１）の冷媒吐出能力を低下させるので、圧縮機（１１）の消費動力を低減させることができる。すなわち、ヒートポンプサイクル（１０）のエネルギ消費量を低減させることができる。
【００１１】
さらに、換気熱交換器（３４）から流出した排気を蒸発器（１４）側へ導く通風路を形成する通風路形成部材（３６）を備えているので、比較的高温となっている排気によって、蒸発器（１４）の除霜を行うことができる。この際、圧縮機（１１）の冷媒吐出能力を低下させているので、蒸発器（１４）における着霜の進行が抑制され、排気によって効率的な除霜を行うことができる。
【００１２】
さらに、熱媒体タンク（２０）に貯留された熱媒体の熱量（Ｑｔ）が基準熱量（ＫＱｔ）以上となっているので、圧縮機（１１）の冷媒吐出能力を低下させても、高温側ヒータコア（３５）では、換気熱交換器（３４）から流出して暖房対象空間へ取り入れられる給気を昇温させることができる。従って、基準熱量（ＫＱｔ）については、高温側ヒータコア（３５）にて給気を暖房対象空間の暖房に必要な程度の温度まで昇温させることができる値に設定しておくことが望ましい。
【００１３】
つまり、本請求項に記載の発明によれば、ヒートポンプサイクル（１０）のエネルギ消費量の増大を招くことなく、暖房対象空間の充分な暖房を実現しつつ、着霜による蒸発器（１４）の熱交換能力の低下を抑制することができる。
【００１４】
なお、本請求項における「圧縮機（１１）の冷媒吐出能力を低下させる」とは、単に圧縮機（１１）を作動させた状態で冷媒吐出能力を低下させることのみを意味するものではなく、圧縮機（１１）を停止させることも含む意味である。
【００１５】
また、請求項２に記載の発明のように、請求項１に記載の暖房システムにおいて、減圧手段（１３）の作動を制御する絞り開度制御手段を備え、絞り開度制御手段は、除霜要否判定手段（Ｓ３）によって蒸発器（１４）の除霜を行う必要があると判定され、かつ、熱量検出手段（４２）によって検出された熱量（Ｑｔ）が基準熱量（ＫＱｔ）より低くなっている際には、減圧手段（１３）の絞り開度を増加させるようになっていてもよい。
【００１６】
これによれば、熱量検出手段（４２）によって検出された熱量（Ｑｔ）が基準熱量（ＫＱｔ）より低くなっている場合にも、減圧手段（１３）の絞り開度を増加させることで、蒸発器（１４）へ圧縮機（１１）から吐出された高温冷媒を流入させて蒸発器（１４）の除霜を行うことができる。
【００１７】
なお、この欄および特許請求の範囲で記載した各手段の括弧内の符号は、後述する実施形態に記載の具体的手段との対応関係を示すものである。
【図面の簡単な説明】
【００１８】
【図１】第１実施形態の暖房システムの模式的な全体構成図である。
【図２】第１実施形態の暖房システムの制御処理の要部を示すフローチャートである。
【図３】第２実施形態の暖房システムの模式的な全体構成図である。
【図４】第３実施形態の暖房システムの模式的な全体構成図である。
【図５】第３実施形態の暖房システムの制御処理の要部を示すフローチャートである。
【発明を実施するための形態】
【００１９】
（第１実施形態）
以下、図１を用いて、本発明の第１実施形態を説明する。本実施形態の暖房システム１は、住宅用家屋に適用されており、リビング、キッチン、寝室等の各室内（暖房対象空間）の暖房を行うものである。さらに、この住宅用家屋は、いわゆる高気密住宅と呼ばれる気密性の高い家屋であって、定常的な換気が必要とされる。
【００２０】
暖房システム１は、図１の模式的な全体構成図に示すように、給湯水を加熱するヒートポンプサイクル１０、このヒートポンプサイクル１０にて加熱された給湯水を貯留する貯湯タンク２０、室内の換気時に室外から室内へ取り入れられる給気（外気）を加熱する給気加熱ユニット３０等を備えている。
【００２１】
まず、ヒートポンプサイクル１０は、圧縮機１１、水−冷媒熱交換器１２、電気式膨張弁１３、蒸発器１４等を順次冷媒配管で接続することによって構成された蒸気圧縮式の冷凍サイクルである。
【００２２】
さらに、このヒートポンプサイクル１０は、冷媒として二酸化炭素を採用しており、圧縮機１１の吐出口側から電気式膨張弁１３の入口側へ至るサイクルの高圧側の冷媒圧力が冷媒の臨界圧力以上となる超臨界冷凍サイクルを構成している。また、この冷媒には圧縮機１１を潤滑するための冷凍機油が混入されており、冷凍機油の一部は冷媒とともにサイクルを循環している。
【００２３】
圧縮機１１は、ヒートポンプサイクル１０において冷媒を吸入し、臨界圧力以上となるまで圧縮して吐出するものである。本実施形態では、圧縮機１１として、吐出容量が固定された固定容量型圧縮機構を電動モータにて駆動する電動圧縮機を採用している。圧縮機１１の電動モータは、後述する制御装置から出力される制御信号によって、その作動（回転数）が制御される。
【００２４】
水−冷媒熱交換器１２は、圧縮機１１から吐出された冷媒と給湯水とを熱交換させて給湯水を加熱するものである。給湯水は、ヒートポンプサイクル１０の加熱対象流体であり、後述する貯湯タンク２０内に貯留された後、調理場や風呂等に給湯される。さらに、本実施形態の給湯水は、ヒートポンプサイクル１０にて発生した熱を貯湯タンク２０内に貯留された給湯水へ移動させる熱媒体としての機能も果たす。
【００２５】
従って、本実施形態の水−冷媒熱交換器１２は、特許請求の範囲に記載された熱媒体−冷媒熱交換器を構成している。このような水−冷媒熱交換器１２としては、冷媒通路１２ａとして冷媒を流通させる複数本のチューブを設け、隣り合うチューブ間に水通路１２ｂを形成し、水通路１２ｂ内に冷媒と冷却水との間の熱交換を促進するインナーフィンを配置して構成された熱交換器等を採用することができる。
【００２６】
さらに、本実施形態では、水−冷媒熱交換器１２として、冷媒通路１２ａを流れる冷媒の流れ方向と水通路１２ｂを流れる給湯水の流れ方向が対向流となる対向流型の熱交換器を採用している。
【００２７】
対向流型の熱交換器では、冷媒通路１２ａ入口側の冷媒と水通路１２ｂ出口側の給湯水とを熱交換させ、冷媒通路１２ａ出口側の冷媒と水通路１２ｂ入口側の給湯水とを熱交換させることができるので、熱交換領域の全域に亘って給湯水と冷媒との温度差を確保して熱交換効率を向上させることができる。
【００２８】
また、本実施形態のヒートポンプサイクル１０は、前述したように、超臨界冷凍サイクルを構成しているので、水−冷媒熱交換器１２の冷媒通路１２ａでは、冷媒は凝縮することなく超臨界状態のまま放熱して、そのエンタルピを低下させる。
【００２９】
電気式膨張弁１３は、水−冷媒熱交換器１２の冷媒通路１２ａから流出した冷媒を減圧させる減圧手段である。具体的には、電気式膨張弁１３は、絞り開度を変更可能に構成された弁体と、この弁体の絞り開度を変化させる電動アクチュエータを有して構成される可変絞り機構である。さらに、この電動アクチュエータは、制御装置から出力される制御信号によって、その作動が制御される。
【００３０】
蒸発器１４は、電気式膨張弁１３にて減圧された冷媒を、図示しない送風ファンから送風される外気あるいは後述する給気加熱ユニット３０の換気熱交換器３４から流出した排気と熱交換させて蒸発させるものである。このような蒸発器１４としては、フィンアンドチューブ型の熱交換器等を採用することができる。蒸発器１４の冷媒出口側には、圧縮機１１の吸入口側が接続されている。
【００３１】
なお、ヒートポンプサイクル１０の各構成機器１１〜１４（図１の一点鎖線で囲まれた範囲の構成機器）は、１つの筐体内に収容され、もしくは、１つのフレーム構造内に収容され、ヒートポンプユニットとして一体的に構成されている。
【００３２】
次に、貯湯タンク２０について説明する。貯湯タンク２０は、耐食性に優れた金属（例えば、ステンレス）で形成され、その外周を断熱材で覆う断熱構造あるいは二重タンクによる真空断熱構造等を有し、高温の給湯水を長時間保温することができる熱媒体タンクである。また、この貯湯タンク２０は室外に配置されている。
【００３３】
貯湯タンク２０に貯留された給湯水は、貯湯タンク２０の上部に設けられた出湯口から出湯され、図示しない温調弁において水道からの冷水と混合されて温度調節された後、室内（具体的には調理場や風呂等）に給湯される。また、貯湯タンク２０の下部に設けられた給水口からは水道水が給水されて、室内へ給湯された分の給湯水が補充される。
【００３４】
さらに、貯湯タンク２０は、第１水循環回路２１によってヒートポンプサイクル１０の水−冷媒熱交換器１２の水通路１２ｂと接続されている。第１水循環回路２１は、貯湯タンク２０と水−冷媒熱交換器１２との間で給湯水を循環させる水循環回路である。この第１水循環回路２１には、給湯水を循環させる水圧送手段としての第１水循環ポンプ２２が配置されている。
【００３５】
第１水循環ポンプ２２は、貯湯タンク２０の下方側に設けられた給湯水出口から流出した給湯水を吸入して、水−冷媒熱交換器１２の水通路１２ｂへ給湯水を圧送する電動式の水ポンプである。さらに、この第１水循環ポンプ２２は、制御装置から出力される制御信号によって、その作動（回転数）が制御される。
【００３６】
従って、第１水循環ポンプ２２を作動させると、給湯水は、貯湯タンク２０の下方側に設けられた給湯水出口→第１水循環ポンプ２２→水−冷媒熱交換器１２の水通路１２ｂ→貯湯タンク２０の上方側に設けられた給湯水入口の順に循環する。これにより、水−冷媒熱交換器１２にて加熱された給湯水は貯湯タンク２０の上方側に流出し、貯湯タンク２０内では上方側から下方側へ向かって給湯水の温度が低くなる温度分布が生じる。
【００３７】
さらに、本実施形態では、水−冷媒熱交換器１２として対向流型の熱交換器を採用しているので、貯湯タンク２０の下方側に設けられた給湯水出口から流出した給湯水は、水−冷媒熱交換器１２の冷媒通路１２ａのうち冷媒流れ下流側を流通する比較的エンタルピの低い冷媒と熱交換することになる。つまり、貯湯タンク２０の下方側の低温の給湯水は、水−冷媒熱交換器１２にて、冷媒通路１２ａ下流側の電気式膨張弁１３へ流入する冷媒と直接的に熱交換する熱媒体となる。
【００３８】
一方、水−冷媒熱交換器１２の水通路１２ｂから流出する給湯水は、水−冷媒熱交換器１２の冷媒通路１２ａのうち冷媒流れ上流側を流通する比較的エンタルピの高い冷媒と熱交換して加熱される。つまり、貯湯タンク２０の上方側の高温の給湯水は、水−冷媒熱交換器１２にて、ヒートポンプサイクル１０の圧縮機１１から吐出された高温高圧冷媒によって直接的に加熱された熱媒体となる。
【００３９】
次に、給気加熱ユニット３０は、室内の換気を行う際に、室内から室外へ排出される排気が流通する排気通風路３２および室外から室内へ取り入れられる給気が流通する給気通風路３３が形成されたケーシング３１を有し、このケーシング３１内に、排気送風ファン３２ａ、給気送風ファン３３ａ、換気熱交換器３４、高温側ヒータコア３５を収容して構成されたものである。
【００４０】
排気送風ファン３２ａは、室内から室外へ排気を送風する電動送風機であって、排気通風路３２の排気流れ最上流側に配置されている。給気送風ファン３３ａは、室外から室内へ給気を送風する電動送風機であって、給気通風路３３の給気流れ最上流側に配置されている。また、排気送風ファン３２ａおよび給気送風ファン３３ａは、いずれも制御装置から出力される制御電圧によって稼働率、すなわち回転数（送風空気量）が制御される。
【００４１】
換気熱交換器３４は、室内の換気を行う際に、排気と給気とを熱交換させるものである。従って、換気熱交換器３４は、例えば、室内の暖房時には、高温の排気と低温の給気とを熱交換させて、給気を加熱することができる。つまり、換気熱交換器３４は、暖房時に排気とともに室外へ排出されてしまう熱エネルギを回収して給気を加熱することによって、換気による室内の温度低下を抑制する機能を果たす。
【００４２】
このような換気熱交換器３４としては、伝熱性に優れる複数の金属板（例えば、アルミニウム板や銅板）の板面同士を互いに平行に積層配置し、隣り合う金属板間に排気通路と吸気通路とを交互に形成し、それぞれの排気通路および給気通路の内部に排気と給気との熱交換を促進するインナーフィンを配置することによって構成された熱交換器等を採用することができる。なお、換気熱交換器３４は、例えば、室内の冷房時には、高温の給気と低温の排気とを熱交換させて、給気を冷却することもできる。
【００４３】
高温側ヒータコア３５は、内部に温水を流通させ、この温水を熱源として換気熱交換器３４から流出する給気（換気熱交換器３４下流側の給気）を加熱する加熱用熱交換器である。また、高温側ヒータコア３５は、温水を循環させる第２水循環回路３７に配置されており、貯湯タンク２０内に配置された温水通路３８に接続されている。
【００４４】
第２水循環回路３７は、温水通路３８と高温側ヒータコア３５との間で温水を循環させる水循環回路である。さらに、第２水循環回路３７には、温水を循環させる水圧送手段としての第２水循環ポンプ３９が配置されている。
【００４５】
また、第２水循環回路３７を循環する温水は、貯湯タンク２０内に貯留された給湯水の有する熱を給気へ移動させる熱媒体であって、給湯水と同じ水道水あるいはエチレングリコール水溶液等を採用することができる。つまり、本実施形態の暖房システム１では、給湯水と温水との２種類の熱媒体を介して、ヒートポンプサイクル１０にて発生した熱を吸気へ移動させている。
【００４６】
温水通路３８は、貯湯タンク２０内を蛇行しながら上下方向に伸びるように配置された温水配管で構成されている。従って、温水を温水通路３８に流通させることで、貯湯タンク２０内に貯留された給湯水を熱源として温水を加熱することができる。
【００４７】
さらに、本実施形態の温水通路３８の温水入口は貯湯タンク２０の下方側に設けられ、温水通路３８の温水出口は貯湯タンク２０の上方側に設けられている。前述の如く、貯湯タンク２０内の給湯水には下方側から上方側へ向かって温度が高くなる温度分布が生じているので、温水通路３８を流通する温水についても下方側（温水入口側）から上方側（温水出口側）へ向かって温度が上昇することになる。
【００４８】
第２水循環ポンプ３９は、高温側ヒータコア３５から流出した温水を吸入して、温水通路３８の温水入口側へ圧送する電動式の水ポンプである。この第２水循環ポンプ３９は、制御装置から出力される制御信号によってその作動（回転数）が制御される。
【００４９】
従って、第２水循環ポンプ３９を作動させると、温水は、第２水循環ポンプ３９→貯湯タンク２０の下方側に配置された温水通路３８の温水入口→温水通路３８→貯湯タンク２０の上方側に配置された温水通路３８の温水出口→高温側ヒータコア３５の順に循環する。
【００５０】
さらに、本実施形態の給気加熱ユニット３０には、排気通風路３２の下流側に、換気熱交換器３４から流出した排気の全部または一部を、図１の太破線矢印に示すように、ヒートポンプサイクル１０の蒸発器１４側へ導く通風路を形成する通風路形成部材としてのダクト３６が接続されている。これにより、蒸発器１４では、電気式膨張弁１３にて減圧された低圧冷媒を排気と熱交換させて蒸発させることができる。
【００５１】
次に、本実施形態の電気制御部の概要を説明する。図示しない制御装置は、ＣＰＵ、ＲＯＭおよびＲＡＭ等を含む周知のマイクロコンピュータとその周辺回路から構成されている。この制御装置は、ＲＯＭに記憶された制御プログラムに基づいて各種演算、処理を行って、上述の各種電気式のアクチュエータ１１、１３、２２、３２ａ、３３ａ、３９等の作動を制御する。
【００５２】
制御装置の入力側には、圧縮機１１から吐出された高圧冷媒の高圧側冷媒圧力Ｐｄを検出する高圧側圧力検出手段としての高圧側圧力センサ、水−冷媒熱交換器１２の水通路から流出する給湯水の沸上温度Ｔｗｏを検出する沸上温度検出手段としての沸上温度センサ、蒸発器１４における冷媒蒸発温度（蒸発器１４の蒸発器温度）Ｔｓを検出する蒸発器温度検出手段としての蒸発器温度センサ４１、外気温Ｔａｍを検出する外気温検出手段としての外気温センサ、温水通路３８から流出する温水の出口温度Ｔｏｕｔを検出する出口側温水温度検出手段としての出口側温水温度センサ、貯湯タンク２０内に貯留された給湯水の温度を検出するタンク内温度センサ４２、換気熱交換器３４から流出した排気の出口側排気温度Ｔｅｘｏを検出する排気温度検出手段としての出口側排気温度センサ４３といった各種制御用のセンサ群が接続され、これらのセンサ群の検出信号が制御装置へ入力される。
【００５３】
なお、本実施形態の蒸発器温度センサ４１は、具体的には、蒸発器１４の熱交換フィン温度を検出している。もちろん、蒸発器温度センサ４１として、蒸発器１４のその他の部位の温度を検出する温度検出手段を採用してもよいし、蒸発器１４を流通する冷媒自体の温度を直接検出する温度検出手段を採用してもよい。
【００５４】
また、本実施形態のタンク内温度センサ４２は、貯湯タンク２０内に上下方向に並んで配置された複数個（本実施形態では、５つ）の温度センサによって構成されている。これにより、制御装置では、複数のタンク内温度センサ４２の出力信号によって、貯湯タンク２０内の水位レベルに応じた給湯水の温度および温度分布を検出することができる。
【００５５】
さらに、制御装置では、タンク内温度センサ４２の検出値から算定される貯湯タンク２０内の給湯水の水レベルとその温度分布から、貯湯タンク２０に貯留された給湯水（熱媒体）の熱量Ｑｔを求めることができる。従って、本実施形態の複数の温度センサからなるタンク内温度センサ４２は、熱量検出手段を構成している。
【００５６】
また、制御装置の入力側には、図示しない操作パネルが接続されている。この操作パネルには、暖房システム１の作動を要求する作動要求信号を出力する作動スイッチ、給湯水の沸上温度（目標加熱温度）を設定する温度設定スイッチ等が設けられ、これらのスイッチの操作信号が制御装置へ入力される。
【００５７】
なお、本実施形態の制御装置は、その出力側に接続された各種制御対象機器を制御する制御手段が一体的に構成されたものであるが、制御装置のうちそれぞれの制御対象機器の作動を制御する構成（ハードウェアおよびソフトウェア）が、それぞれの制御対象機器の作動を制御する制御手段を構成している。
【００５８】
例えば、制御装置のうち、圧縮機１１の作動（圧縮機１１の冷媒吐出能力）を制御する構成（ハードウェアおよびソフトウェア）が吐出能力制御手段を構成し、電気式膨張弁１３の作動（電気式膨張弁１３の絞り開度）を制御する構成（ハードウェアおよびソフトウェア）が絞り開度制御手段を構成している。もちろん、吐出能力制御手段および絞り開度制御手段を制御装置に対して別の装置で構成してもよい。
【００５９】
次に、上記構成における本実施形態の暖房システム１の作動を説明する。本実施形態の暖房システム１では、室内の暖房を行う通常暖房運転モードでの運転の他に、ヒートポンプサイクル１０を作動させた状態で蒸発器１４の除霜を行う第１除霜運転モードあるいはヒートポンプサイクル１０の作動を停止させた状態で蒸発器１４の除霜を行う第２除霜運転モードでの運転に切り替えることができる。
【００６０】
まず、通常暖房運転モードについて説明する。通常暖房運転モードでの運転は、暖房システム１に外部電源から電力が供給された状態で、操作パネルの作動スイッチから作動要求信号が出力されると、制御装置が予めＲＯＭ（記憶回路）に記憶している制御処理（制御プログラム）を実行することによって開始される。
【００６１】
この制御処理では、操作パネルの操作信号および上述した制御用のセンサ群により検出された検出信号を読み込み、読み込まれた操作信号および検出信号に基づいて、制御装置の出力側に接続された各種制御対象機器の制御状態（具体的には、各種制御対象機器へ出力される制御信号あるいは制御電圧）を決定する。
【００６２】
例えば、圧縮機１１へ出力される制御信号については、操作パネルからの給湯温度設定信号および外気温センサにより検出された外気温Ｔａｍに基づいて、制御装置のＲＯＭに記憶された制御マップを参照して決定される。具体的には、給湯温度設定信号による設定温度の上昇および外気温Ｔａｍの低下に伴って、圧縮機１の回転数（冷媒吐出能力）が増加するように決定される。
【００６３】
また、電気式膨張弁１３の電動アクチュエータに出力される制御信号については、ヒートポンプサイクル１０の高圧側冷媒圧力Ｐｄが目標高圧となるように決定される。この目標高圧は、外気温Ｔａｍおよび圧縮機１１の回転数に基づいて、制御装置のＲＯＭに記憶された制御マップを参照して、ヒートポンプサイクル１０の成績係数（ＣＯＰ）が最大となるように決定される。
【００６４】
また、第１水循環回路２１の第１水循環ポンプ２２へ出力される制御電圧については、フィードバック制御手法等を用いて、水−冷媒熱交換器１２の水通路１２ｂから流出する給湯水の沸上温度Ｔｗｏが温度設定スイッチによって設定された目標加熱温度（例えば、８０℃〜９０℃）に近づくように決定される。
【００６５】
また、排気送風ファン３２ａおよび給気送風ファン３３ａへ出力される制御電圧については、排気送風ファン３２ａおよび給気送風ファン３３ａが予め定めた所定送風能力を発揮できるように決定される。
【００６６】
また、第２水循環回路３７の第２水循環ポンプ３９へ出力される制御電圧については、フィードバック制御手法等を用いて、温水通路３８から流出する温水の出口温度Ｔｏｕｔ（高温側ヒータコア３５へ流入する温水温度）が予め定めた基準加熱温度ＫＴｈ（本実施形態では、４０℃〜５０℃）となるように決定される。この基準加熱温度ＫＴｈは、高温側ヒータコア３５にて温水通路３８から流出した温水と熱交換した給気が、室内の暖房を適切に実現可能な温度（例えば、３０℃〜４０℃）となるように定められた値である。
【００６７】
そして、制御装置は、上記の如く決定された制御信号および制御電圧を各種制御対象機器へ出力する。さらに、制御装置は、タンク内温度センサ４２の検出値から求められた貯湯タンク２０に貯留された給湯水の熱量Ｑｔが、後述する基準熱量ＫＱｔ以上となるように、ヒートポンプサイクル１０を作動させる。
【００６８】
その後、制御装置は、操作パネルの作動スイッチがＯＦＦされて暖房システム１の作動停止が要求されるまで、所定の制御周期毎に、上述の検出信号および操作信号の読み込み→各種制御対象機器の制御状態の決定→各種制御対象機器への制御電圧および制御信号の出力といった制御ルーチンを繰り返す。
【００６９】
従って、通常暖房運転モード時のヒートポンプサイクル１０では、圧縮機１１から吐出された高温高圧冷媒が、水−冷媒熱交換器１２の冷媒通路１２ａへ流入し、水通路１２ｂを流通する給湯水へ放熱する。これにより、水通路１２ｂを流通する給湯水が加熱される。
【００７０】
冷媒通路１２ａから流出した高圧冷媒は、電気式膨張弁１３へ流入して低圧冷媒となるまで減圧される。電気式膨張弁１３にて減圧された低圧冷媒は、蒸発器１４へ流入し、給気加熱ユニット３０の排気通風路３２から流出した排気から吸熱して蒸発する。蒸発器１４から流出した冷媒は、圧縮機１１へ吸入されて再び圧縮される。
【００７１】
また、第１水循環回路２１では、第１水循環ポンプ２２から圧送された貯湯タンク２０の下方側の比較的低温の給湯水が、水−冷媒熱交換器１２の水通路１２ｂを流通する際に加熱される。水−冷媒熱交換器１２にて加熱されて高温となった給湯水は、貯湯タンク２０の上方側へ貯留される。
【００７２】
また、第２水循環回路３７では、第２水循環ポンプ３９が作動しているので、温水通路３８の上方側の温水出口から温水が流出する。この際、温水通路３８の温水出口から流出する温水は、貯湯タンク２０の上方側の比較的高い温度の給湯水によって加熱され、基準加熱温度ＫＴｈとなるまで温度上昇する。
【００７３】
そして、基準加熱温度ＫＴｈとなるまで温度上昇した温水は、高温側ヒータコア３５へ流入して、換気熱交換器３４から流出した給気と熱交換して放熱する。これにより、換気熱交換器３４から流出した給気が室内の暖房を適切に実現可能な温度となるまで加熱される。
【００７４】
つまり、本実施形態の高温側ヒータコア３５では、貯湯タンク２０に貯留された給湯水（熱媒体）を熱源として、換気熱交換器３４から流出した空気を温水を介して間接的に加熱している。高温側ヒータコア３５にて給気に放熱して温度低下した温水は、第２水循環ポンプ３９へ吸入されて、貯湯タンク２０内の下方側に配置された温水通路３８の温水入口側へ圧送される。
【００７５】
また、給気加熱ユニット３０では、給気送風ファン３３ａから送風された給気（外気）が換気熱交換器３４の給気通路へ流入する。換気熱交換器３４の給気通路へ流入した給気は、排気送風ファン３２ａから送風されて換気熱交換器３４の排気通路を流通する排気（内気）と熱交換する。
【００７６】
換気熱交換器３４から流出した給気は、高温側ヒータコア３５にてさらに加熱されて、図示しないダクトを介して暖房対象空間である各室内へ送風される、一方、換気熱交換器３４から流出した排気は、排気通風路３２およびダクト３６を介してヒートポンプサイクル１０の蒸発器１４側へ送風される。
【００７７】
以上の如く、通常暖房運転モードでは、ヒートポンプサイクル１０の水−冷媒熱交換器２にて加熱された給湯水を貯湯タンク２０に貯留することができる。さらに、高温側ヒータコア３５にて加熱された給気を、各室内へ送風することによって、各室内の暖房を実現することができる。
【００７８】
次に、第１除霜運転モードおよび第２除霜運転モードについて説明する。第１除霜運転モードおよび第２除霜運転モードでの運転は、通常暖房運転モード時に図２のフローチャートの制御処理が実行されることによって、通常暖房運転モードから第１除霜運転モードあるいは第２除霜運転モード切り替えられる。
【００７９】
なお、図２に示すフローチャートは、通常暖房運転モード時に実行される制御処理のメインルーチンに対してサブルーチンとして実行される制御処理である。また、図２の各制御ステップは、制御装置が有する各種機能実現手段を構成している。
【００８０】
まず、ステップＳ１では、除霜運転を行う必要があるか否かが判定される。具体的には、このステップＳ１では、メインルーチンで読み込まれた蒸発器温度Ｔｓが予め定めた着霜基準温度ＫＴｓ１（具体的には、−１０℃）以下で所定時間経過した場合に、蒸発器１４に着霜が生じて除霜運転を行う必要があると判定している。従って、本実施形態の制御ステップＳ１は、除霜要否判定手段を構成している。
【００８１】
ステップＳ１にて、除霜運転を行う必要がないと判定された場合は、メインルーチンへ戻り、通常暖房運転モードの制御処理が実行される。一方、ステップＳ１にて、除霜運転を行う必要があると判定された場合は、ステップＳ２へ進み、貯湯タンク２０に貯留された給湯水の熱量Ｑｔが予め定めた基準熱量ＫＱｔ以上となっているか否かを判定する。
【００８２】
なお、この基準熱量ＫＱｔは、高温側ヒータコア３５にて給気を加熱する際に、暖房対象空間の暖房に必要な程度の温度まで給気を昇温させることができるように定められた値である。
【００８３】
ステップＳ２にて、貯湯タンク２０に貯留された給湯水の熱量Ｑｔが基準熱量ＫＱｔ以上となっていないと判定された際には、ステップＳ３へ進み、ヒートポンプサイクル１０の作動をさせた状態で蒸発器１４の除霜を行う第１除霜運転モードの制御処理が実行される。
【００８４】
より詳細には、第１除霜運転モードの制御処理では、ステップＳ３にて電気式膨張弁１３の絞り開度を全開として、ステップＳ４へ進む。このように電気式膨張弁１３を絞り開度を全開とすることで、圧縮機１１から吐出された高温の冷媒を蒸発器１４へ流入させる、いわゆるホットガスサイクルを構成して蒸発器１４の除霜を行うことができる。ステップＳ４では、蒸発器温度Ｔｓの検出信号を読み込み、ステップＳ５へ進む。
【００８５】
ステップＳ５では、除霜が完了したか否かを判定する。具体的には、このステップＳ５では、ステップＳ４で読み込まれた蒸発器温度Ｔｓが予め定めた除霜基準温度ＫＴｓ２（具体的には、０℃）以上となっている場合に除霜が完了したと判定して、メインルーチンへ戻る。一方、蒸発器温度Ｔｓが予め定めた除霜基準温度ＫＴｓ２（具体的には、０℃）より低い場合には除霜が完了していないと判定して、所定の制御周期の経過を待ってステップＳ４へ戻る。
【００８６】
一方、ステップＳ２にて、貯湯タンク２０に貯留された給湯水の熱量Ｑｔが基準熱量ＫＱｔ以上になっていると判定された場合は、ステップＳ６へ進み、ステップＳ２で読み込まれた出口側排気温度Ｔｅｘｏが予め定めた基準排気温度ＫＴｅｘｏ（具体的には、１℃程度）以上になっているか否かを判定する。なお、この基準排気温度ＫＴｅｘｏは、換気熱交換器３４から流出した排気を、ダクト３６を介して着霜の生じた蒸発器１４側へ導くことによって、蒸発器１４の除霜を行うことができるように定められた値である。
【００８７】
ステップＳ６にて、出口側排気温度Ｔｅｘｏが基準排気温度ＫＴｅｘｏ以上になっていないと判定された際には、ステップＳ３へ進み、前述した第１除霜運転モードの制御処理が実行される。一方、ステップＳ６にて、出口側排気温度Ｔｅｘｏが基準排気温度ＫＴｅｘｏ以上になっていると判定された際には、ステップＳ７へ進み、ヒートポンプサイクル１０の作動を停止させた状態で蒸発器１４の除霜を行う第２除霜運転モードの制御処理が実行される。
【００８８】
より詳細には、この第２除霜運転モードの制御処理では、ステップＳ７にて圧縮機１１の冷媒吐出能力を０に低下させて（すなわち、圧縮機１１の作動を停止させて）、ステップＳ８へ進む。このように圧縮機１１の作動を停止させたとしても、貯湯タンク２０に貯留された給湯水の熱量Ｑｔが基準熱量ＫＱｔ以上となっており、さらに、出口側排気温度Ｔｅｘｏが基準排気温度ＫＴｅｘｏ以上となっているので、ダクト３６を介して排気を蒸発器１４側へ導くことで、蒸発器１４の除霜を行うことができる。
【００８９】
ステップＳ８では、蒸発器温度Ｔｓの検出信号を読み込み、ステップＳ９へ進む。ステップＳ９では、ステップＳ５と同様に、除霜が完了したか否かを判定する。ステップＳ９にて、除霜が完了したと判定された際には、メインルーチンへ戻る。一方、ステップＳ９にて、除霜が完了していないと判定された際には、ステップＳ１０へ進む。
【００９０】
ステップＳ１０では、ステップＳ２と同様に、貯湯タンク２０に貯留された給湯水の熱量Ｑｔが基準熱量ＫＱｔ以上となっているか否かを判定する。ステップＳ１０にて、貯湯タンク２０に貯留された給湯水の熱量Ｑｔが基準熱量ＫＱｔ以上となっていないと判定された際には、ステップＳ３へ進み、前述した第１除霜運転モードの制御処理が実行される。
【００９１】
一方、ステップＳ１０にて、貯湯タンク２０に貯留された給湯水の熱量Ｑｔが基準熱量ＫＱｔ以上となっていると判定された際には、ステップＳ５と同様に、所定の制御周期の経過を待ってステップＳ７へ戻る。
【００９２】
以上の如く、本実施形態の暖房システム１では、除霜要否判定手段を構成する制御ステップＳ１にて、蒸発器１４の除霜を行う必要があると判定され、かつ、貯湯タンク２０に貯留された給湯水の熱量Ｑｔが基準熱量ＫＱｔ以上となっていると判定された際に、第２除霜運転モードでの運転を実行する。
【００９３】
この第２除湿運転モードでは、圧縮機１１の作動を停止させるので、圧縮機１１の消費動力を低減させることができる。延いては、ヒートポンプサイクル１０のエネルギ消費量を低減させることができる。
【００９４】
さらに、換気熱交換器３４から流出した排気を蒸発器１４側へ導く通風路を形成するダクト３６を備えているので、比較的高温となっている排気によって、蒸発器１４の除霜を行うことができる。この際、圧縮機１１が停止しているので、蒸発器１４における着霜の進行が抑制され、排気によって効率的な除霜を行うことができる。
【００９５】
さらに、貯湯タンク２０に貯留された給湯水の熱量Ｑｔが基準熱量ＫＱｔ以上となっているので、圧縮機１１を停止させても、高温側ヒータコア３５にて、換気熱交換器３４から流出して各室内へ取り入れられる給気を、各室内の暖房に必要な程度の温度となるまで充分に昇温させることができる。
【００９６】
つまり、本実施形態の暖房システム１によれば、ヒートポンプサイクル１０のエネルギ消費量の増大を招くことなく、各室内の充分な暖房を実現しつつ、着霜による蒸発器１４の熱交換能力の低下を抑制することができる。
【００９７】
また、本実施形態の暖房システム１によれば、さらに、出口側排気温度Ｔｅｘｏが基準排気温度ＫＴｅｘｏ以上となっている際に、第２除霜運転モードでの運転を実行するので、より確実な蒸発器１４の除霜を実現することができる。
【００９８】
また、本実施形態の暖房システム１によれば、蒸発器１４の除霜を行う必要があると判定された際に、貯湯タンク２０に貯留された給湯水の熱量Ｑｔが基準熱量ＫＱｔより低くなっていても、第１除霜運転モードでの運転を実行することによって、蒸発器１４の除霜を行うことができる。
【００９９】
また、本実施形態の暖房システム１によれば、蒸発器１４にて冷媒と換気熱交換器３４から流出した排気とを熱交換させるので、通常暖房運転モード時にも、排気の有する熱を冷媒に吸熱させて給湯水を加熱するために有効に活用することができる。延いては、排気の有する熱エネルギが室外に放出されてしまうことを抑制し、排気の有する熱エネルギを室内の暖房を行うために有効に活用することができる。
【０１００】
なお、上述の説明では、室内の暖房を行う際の暖房システム１の作動について説明したが、もちろん、室内の暖房を行うことなく給湯水を加熱するように作動させてもよい。この場合は、排気送風ファン３２ａ、給気送風ファン３３ａおよび第２水循環ポンプ３９の作動を停止させ、蒸発器１４では冷媒が外気から吸熱して蒸発するように作動させればよい。
【０１０１】
さらに、貯湯タンク２０内の給湯水が充分に加熱され、昇温されている場合は、給湯水の加熱を行うことなく室内の暖房を行ってもよい。この場合は、圧縮機１１、電気式膨張弁１３および第１水循環ポンプ２２の作動を停止させればよい。
【０１０２】
（第２実施形態）
本実施形態では、第１実施形態に対して、図３の全体構成図に示すように、ダクト３６に、通風路切替弁４０を設けた例を説明する。この通風路切替弁４０は、給気加熱ユニット３０の排気通風路３２から流出した排気（すなわち、換気熱交換器３４から流出した排気）を蒸発器１４側へ導くことなく室外へ放出させる放出手段である。
【０１０３】
より具体的には、通風路切替弁４０は、換気熱交換器３４から流出した排気を蒸発器１４側へ流す通風路と換気熱交換器３４から流出した排気を室外へ放出する通風路とを選択的に開閉するドア手段と、このドア手段を変位させるサーボモータからなる電動アクチュエータを有して構成される通風路切替装置である。この電動アクチュエータは、制御装置から出力される制御信号によって、その作動が制御される。
【０１０４】
さらに、本実施形態では、第１実施形態の図２で説明した制御ステップＳ６にて、出口側排気温度Ｔｅｘｏが基準排気温度ＫＴｅｘｏより低くなっていると判定された際に、制御装置が換気熱交換器３４から流出した排気を室外へ放出するように通風路切替弁４０の作動を制御する。
【０１０５】
また、出口側排気温度Ｔｅｘｏが基準排気温度ＫＴｅｘｏ以上となっていると判定された際に、制御装置が換気熱交換器３４から流出した排気を蒸発器１４側へ流すように通風路切替弁４０の作動を制御する。つまり、制御装置は、第２除霜運転モード時に、基準排気温度ＫＴｅｘｏ以上となっている排気を蒸発器１４側へ導くように、通風路切替弁４０の作動を制御する。
【０１０６】
その他の構成および作動は、第１実施形態と同様である。従って、本実施形態の暖房システム１によれば、第１実施形態と同様の効果を得ることができる。さらに、第２除霜運転モード時に、基準排気温度ＫＴｅｘｏ以上となっている排気を蒸発器１４側へ導くので、より一層確実に蒸発器１４の除霜を行うことができる。
【０１０７】
なお、本実施形態では、第２除霜運転モード時に排気を蒸発器１４側へ導くように、通風路切替弁４０の作動を制御した例を説明したが、通常暖房運転モード時に、出口側排気温度Ｔｅｘｏが蒸発器１４の冷媒蒸発温度（具体的には、蒸発器１４の蒸発器温度Ｔｓ）以上となっている際に、排気を蒸発器１４側へ導くように、通風路切替弁４０の作動を制御してもよい。これにより、通常暖房運転モード時に、確実に排気の有する熱を冷媒に吸熱させて給湯水を加熱するために活用することができる。
【０１０８】
（第３実施形態）
本実施形態では、第１実施形態に対して、図４の全体構成図に示すように、第２水循環回路３７に、低温側ヒータコア４４、バイパス通路４５、および三方式の流量調整弁４６を追加した例を説明する。
【０１０９】
低温側ヒータコア４４は、内部に高温側ヒータコア３５から流出して温度低下した温水を流通させて、この温水を熱源として換気熱交換器３４へ流入する給気（換気熱交換器３４上流側の給気）を加熱する加熱用熱交換器である。低温側ヒータコア４４の温水出口側には、第２水循環ポンプ３９の吸入口側が接続されている。
【０１１０】
バイパス通路４５は、高温側ヒータコア３５から流出した温水を低温側ヒータコア３６を迂回させて第２水循環ポンプ３９の吸入側へ導く温水流路である。
【０１１１】
三方式の流量調整弁４６は、低温側ヒータコア４４の温水流れ上流側に配置されて、高温側ヒータコア３５から流出した温水のうち、低温側ヒータコア４４側へ流入する温水流量とバイパス通路４６側へ流入する温水流量との流量比を調整することによって、低温側ヒータコア４４へ流入する温水流量を調整するものである。
【０１１２】
そして、流量調整弁４６が、低温側ヒータコア４４へ流入する温水流量を調整することによって、低温側ヒータコア４４における給気の加熱能力が調整される。つまり、本実施形態の流量調整弁４６は、加熱能力調整手段を構成している。
【０１１３】
さらに、流量調整弁４６は、制御装置から出力される制御信号によって、その作動が制御される電気式の流量調整弁である。従って、本実施形態では、制御装置のうち、流量調整弁４６の作動を制御する構成（ハードウェアおよびソフトウェア）が、加熱能力制御手段を構成している。その他の構成は第１実施形態と同様である。
【０１１４】
次に、上記構成における本実施形態の作動について説明する。本実施形態の通常暖房運転モードでは、制御装置が、高温側ヒータコア３５から流出した温水の全流量をバイパス通路４５側へ流入させるように流量調整弁４６の作動を制御する。これにより、第２水循環回路３７では、第１実施形態と同様に温水が流れる。
【０１１５】
従って、本実施形態の通常暖房運転モードでは、第１実施形態と全く同様に作動して、所望の温度となるまで加熱された給湯水を貯湯タンク２０に貯留することができ、さらに、各室内の暖房を実現することができる。
【０１１６】
また、本実施形態では、第１実施形態の図２で説明した制御処理を、図５のフローチャートに示す制御処理に変更している。具体的には、本実施形態では、ステップＳ６にて、出口側排気温度Ｔｅｘｏが基準排気温度ＫＴｅｘｏ以上になっていないと判定された際に、ステップＳ６１へ進み、低温側ヒータコア４４の加熱能力を増加させてステップＳ７へ進む。
【０１１７】
このステップＳ６１では、制御装置が流量制御弁４６の作動を制御して、ステップＳ６１では、制御装置が、流量制御弁４６の作動を制御して、出口側排気温度Ｔｅｘｏが基準排気温度ＫＴｅｘｏ以上となるように、低温側ヒータコア４４側へ流入する温水流量を増加させる。これにより、換気熱交換器３４へ流入する給気の温度を上昇させて、換気熱交換器３４にて給気と熱交換した排気の温度を、蒸発器１４の除霜を実現可能な程度に上昇させることができる。その他の作動は、第１実施形態と同様である。
【０１１８】
従って、本実施形態の暖房システム１では、蒸発器１４の除霜を行う必要があると判定され、かつ、貯湯タンク２０に貯留された給湯水の熱量Ｑｔが基準熱量ＫＱｔ以上となっていると判定された際に、出口側排気温度Ｔｅｘｏが基準排気温度ＫＴｅｘｏより低くなっていても、第１除霜運転モードでの運転を実行することなく、第２除霜運転モードでの運転を実行することができる。
【０１１９】
その結果、第１実施形態にて説明した制御処理よりも、蒸発器１４の除霜を行う際に圧縮機１１を作動させてしまう頻度を低減させることができ、より一層、圧縮機１１の消費動力を低減させることができる。
【０１２０】
なお、本実施形態では、通常暖房運転モード時に、高温側ヒータコア３５から流出した温水の全流量をバイパス通路４５側へ流入させた例を説明したが、通常暖房運転モード時に、高温側ヒータコア３５から流出した温水のうち予め定めた所定流量を低温側ヒータコア４４側へ流入させるようにしてもよい。
【０１２１】
通常暖房運転モード時に、低温側ヒータコア４４にて給気を加熱するようにすれば、低温側ヒータコア４４にて温度低下した温水を貯湯タンク２０の下方側に配置された温水通路に導くことができる。これにより、水−冷媒熱交換器１２にて、電気式膨張弁１３へ流入する冷媒と熱交換する貯湯タンク２０の下方側の給湯水（熱媒体）の温度を低下させることができる。
【０１２２】
その結果、電気式膨張弁１３へ流入する冷媒のエンタルピを低下させて、蒸発器１４出口側冷媒のエンタルピと蒸発器１４入口側冷媒のエンタルピとのエンタルピ差（冷凍能力）を拡大させて、ヒートポンプサイクル１０の成績係数（ＣＯＰ）を向上させることができる。
【０１２３】
（他の実施形態）
本発明は上述の実施形態に限定されることなく、本発明の趣旨を逸脱しない範囲内で、以下のように種々変形可能である。
【０１２４】
（１）上述の実施形態では、第２水循環回路３７を循環する温水を高温側ヒータコア３５へ導いた例を説明したが、貯湯タンク２０内に貯留された給湯水を高温側ヒータコア３５へ導いてもよい。
【０１２５】
さらに、ヒートポンプサイクル１０の水−冷媒熱交換器１２の水通路１２ｂにて加熱された給湯水の流れを分岐し、分岐された一方の給湯水を貯湯タンク２０へ蓄え、他方の給湯水を高温側ヒータコア３５へ流入させるようにしてもよい。この場合は、第２除霜運転モード時に高温側ヒータコア３５における給気の加熱能力が低下してしまうので、室内の温度が充分に高い場合に第２除湿運転モードでの運転を実行するようにしてもよい。
【０１２６】
（２）上述の実施形態では、通風路形成部材としてダクト３６を設けた例を説明したが、通風路形成部材は、これに限定されない。例えば、給気加熱ユニット３０とヒートポンプユニットが隣接配置されている場合は、換気熱交換器３４から流出した排気を蒸発器１４側へ導くための通風穴が形成されたヒートポンプユニットの筐体が通風路形成部材としての機能を果たす。
【０１２７】
（３）上述の実施形態では、除霜要否判定手段を構成する制御ステップＳ１にて、除霜運転を行う必要があるか否かを判定する際に、蒸発器温度Ｔｓが−１０℃以下となり所定時間経過した場合に、除霜運転を行う必要があると判定している。
【０１２８】
すなわち、上述の実施形態の除霜要否判定手段では、蒸発器１４に実際に着霜が生じた後に除霜運転を行う必要があると判定している。換言すると、上述の実施形態における除霜要否判定手段は、蒸発器１４に着霜が生じたことを判定する着霜判定手段で構成されていてもよい。
【０１２９】
これに対して、除霜要否判定手段が、蒸発器１４に着層が生じる前に除霜運転を行う必要があると判定してもよい。例えば、蒸発器温度Ｔｓが０℃以下となった際に所定時間の経過を待つことなく、除霜運転を行う必要があると判定してもよい。換言すると、除霜要否判定手段は、着霜が生じ得る条件を判定する着霜条件判定手段で構成されていてもよい。
【０１３０】
（４）上述の実施形態では、第２除霜運転モード時に圧縮機１１の作動を停止させた例を説明したが、圧縮機１１を停止させることなく、単に圧縮機１１の冷媒吐出能力を低下させるようにしてもよい。さらに、第２除霜運転モード時に蒸発器１４へ向けて外気を送風する送風ファンの送風能力を低下させてもよいし、送風ファンの作動を停止させてもよい。
【０１３１】
（５）上述の第１、第２実施形態では、第２水循環回路３７の回路構成として、高温側ヒータコア３５の温水出口を第２水循環ポンプ３９の吸入口へ接続した回路構成を採用したが、第２水循環回路３７の回路構成は、これに限定されない。例えば、高温側ヒータコア３５の温水出口と第２水循環ポンプ３９の吸入口との間に、高温側ヒータコア３５から流出した温水を熱源として加熱対象物を加熱する加熱器を配置してもよい。
【０１３２】
このような加熱器としては、高温側ヒータコア３５よりも低い温度帯の熱源を必要とするものを採用することが望ましい。具体的には、２０℃〜４０℃程度の温度帯の熱源を必要とするパネルヒータやタオルウォーマ等を採用することができる。また、上述した第３実施形態において、高温側ヒータコア３５の下流側であって、かつ、低温側ヒータコア４４の上流側に同様の加熱器を配置してもよい。
【０１３３】
（６）上述の各実施形態では、排気送風ファン３２ａを排気通風路３２の排気流れ最上流側に配置し、給気送風ファン３３ａを給気通風路３３の給気流れ最上流側に配置した例を説明したが、排気送風ファン３２ａおよび給気送風ファン３３ａの配置はこれに限定されない。
【０１３４】
例えば、排気送風ファン３２ａを排気通風路３２の排気流れ最上流側に配置し、給気送風ファン３３ａを給気通風路３３の給気流れ最下流側に配置してもよい。これにより、２つの送風ファンを室外側に配置することができ、室内のユーザに排気送風ファン３２ａおよび給気送風ファン３３ａの作動音が聞こえてしまうことを抑制できる。
【０１３５】
（７）上述の各実施形態では、換気熱交換器３４として伝熱性に優れる複数の金属板を積層配置することによって構成されて排気と給気との間で熱を交換する顕熱交換器として構成されたものを採用したが、伝熱性および透湿性を有する材質で形成された板状部材を積層配置することによって構成された、いわゆる全熱交換器を採用してもよい。このような全熱交換器では、排気と給気との間で温度のみならず湿度の交換を行うこともできる。
【０１３６】
（８）上述の第３実施形態では、加熱能力調整手段として三方式の流量調整弁４６を採用した例を説明したが、加熱能力調整手段はこれに限定されない。例えば、通常の二方式の流量調整弁を用いて加熱能力調整手段を構成してもよい。この場合は、三方式の流量調整弁４６に代えて、温水の流れを分岐する温水分岐部を配置し、温水分岐部から低温側ヒータコア４４へ至る温水通路およびバイパス通路４６の少なくとも一方に二方式の流量調整弁を配置すればよい。
【符号の説明】
【０１３７】
１０    ヒートポンプサイクル
１１    圧縮機
１２    水−冷媒熱交換器
１３    電気式膨張弁
１４    蒸発器
３４    換気熱交換器
３５    高温側ヒータコア
３６    ダクト
【図１】
2014152985.tif 000003
【図２】
2014152985.tif 000004
【図３】
2014152985.tif 000005
【図４】
2014152985.tif 000006
【図５】
2014152985.tif 000007